(57)【要約】 【課題】  表示領域における縦状のスジの発生を抑える。【解決手段】  第１ステップにおいて、共通電極の電位を高位側にシフトさせた状態として、各画素に対して所定の階調とさせるようなデータ信号を供給させ、第２ステップにおいて、特定列の画素が他の列の画素とは異なる階調となった場合に、当該特定列の画素を他の列の画素と同一階調となるように当該特定列の画素に対するデータ信号の電圧を変更するとともに、当該変更量を示す調整データを、所定の階調に対する正極性の補正データとして記憶させる。正極性書込を実行する場合には、指定された階調に対応するデータ信号の電圧を、当該階調に対応する補正データで補正する。負極性の補正データは、共通電極の電位を低位側にシフトさせた状態として同様にして求める。【選択図】      図１
2006023663.tif 000002
【特許請求の範囲】
【請求項１】
行方向に設けられた複数の走査線と、列方向に設けられた複数のデータ線とに対応して設けられた複数の画素を構成する複数の画素電極と、走査線が選択されたときにオンして、データ線に供給されたデータ信号を前記各画素電極に印加するスイッチング素子と、
所定値の基準電位が印加されるとともに、画素電極に対し電気光学物質を挟持するように対向する共通電極と、
前記走査線及び前記データ線を選択することで指定される前記画素に表示させえる階調に応じた電位のデータ信号を、所定の期間毎に、前記基準電位に対して高位側と低位側とに変化させて交互に供給するデータ信号供給回路と、
前記データ信号の電位を、前記階調に対応するとともに高位側または低位側毎に予め定められた補正量だけ補正する補正回路と  
を具備する電気光学装置に用いる補正量決定方法であって、
前記基準電位を前記所定値より高位側または低位側の一方側にシフトさせ、前記各画素に対して所定の階調を表示させるデータ信号を供給させる第１ステップと、
前記第１ステップによって、任意の列の画素が他の列の画素とは異なる階調となった場合に、当該任意の列の画素を他の列の画素と同一階調となるように当該任意の列の画素に対するデータ信号の電位を補正するとともに、当該補正量を、前記所定の階調を表示させるデータ信号に対する、前記高位側または低位側の一方側の補正量として記憶する第２ステップと、
前記基準電位を前記高位側または低位側の他方側にシフトさせ、各画素に対して前記所定の階調を表示させるデータ信号を供給させる第３ステップと、
前記第３ステップによって、任意の列の画素が他の列の画素とは異なる階調となった場合に、当該任意の列の画素を他の列の画素と同一階調となるように当該任意の列の画素に対するデータ信号の電位を補正するとともに、当該補正量を、前記所定の階調を表示させるデータ信号に対する、前記高位側または低位側の他方側の補正量として記憶する第４ステップと
を有することを特徴とする電気光学装置に用いる補正量決定方法。
【請求項２】
行方向に設けられた複数の走査線と、列方向に設けられた複数のデータ線とに対応して設けられた複数の画素を構成する複数の画素電極と、走査線が選択されたときにオンして、データ線に供給されたデータ信号を前記各画素電極に印加するスイッチング素子と、
所定値の基準電位が印加されるとともに、画素電極に対し電気光学物質を挟持するように対向する共通電極と、
前記走査線及び前記データ線を選択することで指定される前記画素に表示させえる階調に応じた電位のデータ信号を、所定の期間毎に、前記基準電位に対して高位側と低位側とに変化させて交互に供給するデータ信号供給回路と、
前記データ信号の電位を、前記階調に対応するとともに高位側または低位側毎に予め定められた補正量だけ補正する補正回路と  
を具備する電気光学装置に用いる補正量決定方法であって、
前記高位側または低位側のうち一方側の極性では、所定の階調を表示させるデータ信号を供給させ、前記高位側または低位側のうち他方側の極性では、前記画素に印加される電圧実効値を最大とさせる階調または当該階調近傍の階調を表示させるデータ信号を供給させる第１ステップと、
前記第１ステップによって、任意の列の画素が他の列の画素とは異なる階調となった場合に、当該任意の列の画素を他の列の画素と同一階調となるように当該任意の列の画素に対するデータ信号の電位を補正するとともに、当該補正量を、前記所定の階調を表示させるデータ信号に対する、前記高位側または低位側の一方側の補正量として記憶する第２ステップと、
前記基準電位を前記高位側または低位側の他方側にシフトさせ、各画素に対して前記所定の階調を表示させるデータ信号を供給させる第３ステップと、
前記第３ステップによって、任意の列の画素が他の列の画素とは異なる階調となった場合に、当該任意の列の画素を他の列の画素と同一階調となるように当該任意の列の画素に対するデータ信号の電位を補正するとともに、当該補正量を、前記所定の階調を表示させるデータ信号に対する、前記高位側または低位側の他方側の補正量として記憶する第４ステップと
を有することを特徴とする電気光学装置に用いる補正量決定方法。
【請求項３】
行方向に設けられた複数の走査線と、列方向に設けられた複数のデータ線とに対応して設けられた複数の画素を構成する複数の画素電極と、走査線が選択されたときにオンして、データ線に供給されたデータ信号を前記各画素電極に印加するスイッチング素子と、
所定値の基準電位が印加されるとともに、画素電極に対し電気光学物質を挟持するように対向する共通電極と、
前記走査線及び前記データ線を選択することで指定される前記画素に表示させえる階調に応じた電位のデータ信号を、所定の期間毎に、前記基準電位に対して高位側と低位側とに変化させて交互に供給するデータ信号供給回路と、
前記データ信号の電位を、前記階調に対応するとともに高位側または低位側毎に予め定められた補正量だけ補正する補正回路と  
を具備する電気光学装置に用いる補正量決定方法であって、
前記基準電位を前記所定値より高位側または低位側の一方側にシフトさせ、前記各画素に対して所定の階調を表示させるデータ信号を供給させる第１ステップと、
前記第１ステップによって、任意の列の画素が他の列の画素とは異なる階調となった場合に、当該任意の列の画素を他の列の画素と同一階調となるように当該任意の列の画素に対するデータ信号の電位を補正するとともに、当該補正量を、前記所定の階調を表示させるデータ信号に対する、前記高位側または低位側の一方側の補正量として記憶する第２ステップと、
前記高位側または低位側のうち他方側の極性では、前記所定の階調を表示させるデータ信号を供給させ、前記高位側または低位側のうち一方側の極性では、前記画素に印加される電圧実効値を最大とさせる階調または当該階調近傍の階調を表示させるデータ信号を供給させる第３ステップと、
前記第３ステップによって、任意の列の画素が他の列の画素とは異なる階調となった場合に、当該任意の列の画素を他の列の画素と同一階調となるように当該任意の列の画素に対するデータ信号の電位を補正するとともに、当該補正量を、前記所定の階調を表示させるデータ信号に対する、前記高位側または低位側の他方側の補正量として記憶する第４ステップと
を有することを特徴とする電気光学装置に用いる補正量決定方法。
【請求項４】
行方向に設けられた複数の走査線と、列方向に設けられた複数のデータ線とに対応して設けられた複数の画素を構成する複数の画素電極と、走査線が選択されたときにオンして、データ線に供給されたデータ信号を前記各画素電極に印加するスイッチング素子と、
所定値の基準電位が印加されるとともに、画素電極に対し電気光学物質を挟持するように対向する共通電極と、
前記走査線及び前記データ線を選択することで指定される前記画素に表示させえる階調に応じた電位のデータ信号を、所定の期間毎に、前記基準電位に対して高位側と低位側とに変化させて交互に供給するデータ信号供給回路と、
前記データ信号の電位を、前記階調に対応するとともに高位側または低位側毎に予め定められた補正量だけ補正する補正回路と  
を具備する電気光学装置に用いる補正量決定方法であって、
前記高位側または低位側のうち一方側の極性では、所定の階調を表示させるデータ信号を供給させ、前記高位側または低位側のうち他方側の極性では、前記画素に印加される電圧実効値を最大とさせる階調または当該階調近傍の階調を表示させるデータ信号を供給させる第１ステップと、
前記第１ステップによって、任意の列の画素が他の列の画素とは異なる階調となった場合に、当該任意の列の画素を他の列の画素と同一階調となるように当該任意の列の画素に対するデータ信号の電位を補正するとともに、当該補正量を、前記所定の階調を表示させるデータ信号に対する、前記高位側または低位側の一方側の補正量として記憶する第２ステップと、
前記高位側または低位側のうち他方側の極性では、前記所定の階調を表示させるデータ信号を供給させ、前記高位側または低位側のうち一方側の極性では、前記画素に印加される電圧実効値を最大とさせる階調または当該階調近傍の階調を表示させるデータ信号を供給させる第３ステップと、
前記第３ステップによって、任意の列の画素が他の列の画素とは異なる階調となった場合に、当該任意の列の画素を他の列の画素と同一階調となるように当該任意の列の画素に対するデータ信号の電位を補正するとともに、当該補正量を、前記所定の階調を表示させるデータ信号に対する、前記高位側または低位側の他方側の補正量として記憶する第４ステップと
を有することを特徴とする電気光学装置に用いる補正量決定方法。
【請求項５】
行方向に設けられた複数の走査線と、列方向に設けられた複数のデータ線とに対応して設けられた複数の画素を構成する複数の画素電極と、走査線が選択されたときにオンして、データ線に供給されたデータ信号を前記各画素電極に印加するスイッチング素子と、
所定値の基準電位が印加されるとともに、画素電極に対し電気光学物質を挟持するように対向する共通電極と、
前記走査線及び前記データ線を選択することで指定される前記画素に表示させえる階調に応じた電位のデータ信号を、所定の期間毎に、前記基準電位に対して高位側と低位側とに変化させて交互に供給するデータ信号供給回路と、
前記データ信号の電位を、前記階調に対応するとともに高位側または低位側毎に予め定められた補正量だけ補正する補正回路と、
前記補正回路に補正量を記憶させる制御回路と
を具備し、
前記制御回路は、
前記基準電位を前記所定値より高位側または低位側の一方側にシフトさせ、前記各画素に対して所定の階調を表示させるデータ信号を供給させて、任意の列の画素が他の列の画素とは異なる階調となったときに、当該任意の列の画素が他の列の画素と同一階調となるように当該任意の列の画素に対するデータ信号の電位が補正されたとき、当該補正量を、前記所定の階調を表示させるデータ信号に対する、前記高位側または低位側の一方側の補正量として記憶させるとともに、
前記基準電位を前記高位側または低位側の他方側にシフトさせ、各画素に対して前記所定の階調を表示させるデータ信号を供給させて、任意の列の画素が他の列の画素とは異なる階調となったときに、当該任意の列の画素が他の列の画素と同一階調となるように当該任意の列の画素に対するデータ信号の電位が補正されたとき、当該補正量を、前記所定の階調を表示させるデータ信号に対する、前記高位側または低位側の他方側の補正量として記憶させる
ことを特徴とする電気光学装置。
【請求項６】
行方向に設けられた複数の走査線と、列方向に設けられた複数のデータ線とに対応して設けられた複数の画素を構成する複数の画素電極と、走査線が選択されたときにオンして、データ線に供給されたデータ信号を前記各画素電極に印加するスイッチング素子と、
所定値の基準電位が印加されるとともに、画素電極に対し電気光学物質を挟持するように対向する共通電極と、
前記走査線及び前記データ線を選択することで指定される前記画素に表示させえる階調に応じた電位のデータ信号を、所定の期間毎に、前記基準電位に対して高位側と低位側とに変化させて交互に供給するデータ信号供給回路と、
前記データ信号の電位を、前記階調に対応するとともに高位側または低位側毎に予め定められた補正量だけ補正する補正回路と  
を具備する電気光学装置の駆動方法であって、
前記基準電位を前記所定値より高位側または低位側の一方側にシフトさせ、前記各画素に対して所定の階調を表示させるデータ信号を供給させて、任意の列の画素が他の列の画素とは異なる階調となったときに、当該任意の列の画素が他の列の画素と同一階調となるように当該任意の列の画素に対するデータ信号の電位が補正されたとき、当該補正量を、前記所定の階調を表示させるデータ信号に対する、前記高位側または低位側の一方側の補正量として記憶させるとともに、
前記基準電位を前記高位側または低位側の他方側にシフトさせ、各画素に対して前記所定の階調を表示させるデータ信号を供給させて、任意の列の画素が他の列の画素とは異なる階調となったときに、当該任意の列の画素が他の列の画素と同一階調となるように当該任意の列の画素に対するデータ信号の電位が補正されたとき、当該補正量を、前記所定の階調を表示させるデータ信号に対する、前記高位側または低位側の他方側の補正量として記憶して、
記憶した補正量を、データ信号を補正する際に用いる
ことを特徴とする電気光学装置の駆動方法。
【請求項７】
請求項５に記載の電気光学装置を有する
ことを特徴とする電子機器。
【発明の詳細な説明】
【技術分野】
【０００１】
本発明は、列方向に現れる表示品位の低下を防止する技術に関する。
【背景技術】
【０００２】
近年では、液晶などの電気光学パネルを用いて小型画像を形成するとともに、この小型画像を光学系によって拡大投射するプロジェクタが普及しつつある。プロジェクタは、それ自体で画像を作成する機能はなく、パソコンやテレビチューナなどの上位装置から映像データ（または映像信号）の供給を受ける。この映像データは、画素の階調（明るさ）を指定するものであって、マトリクス状に配列する画素を垂直走査および水平走査した形式で供給されるので、プロジェクタに用いられる電気光学パネルについても、この形式に準じて駆動するのが適切である。このため、プロジェクタに用いられる電気光学パネルでは、走査線を順番に選択するとともに、１本の走査線が選択される期間（１水平走査期間）において１本ずつデータ線を順番に選択して、映像データを液晶の駆動に適するように変換した画像信号を、選択したデータ線に供給する、という点順次方式で駆動するのが一般的であった。
【０００３】
一方最近では、ハイビジョンなどのように表示画像の高精細化が進行している。高精細化は、走査線の本数およびデータ線の本数を増加させることによって達成することができるが、走査線本数の増加によって１水平走査期間が短縮し、さらに、点順次方式では、データ線本数の増加によって、データ線の選択期間も短縮する。このため、点順次方式では、高精細化が進行するにつれてデータ線に画像信号を供給する時間を充分に確保できなくなって、画素への書き込みが不十分となり始めた。
そこで、書き込みが不十分となる点を解消する目的で、相展開駆動という方式が考え出された（特許文献１参照）。この相展開駆動は、１水平走査期間において、データ線を予め定められた本数、例えば６本毎に同時に選択するとともに、選択走査線と選択データ線とに対応する画素への画像信号を時間軸に対し６倍に伸長して、選択した６本のデータ線の各々に供給する、という方式である。この相展開駆動方式では、データ線に画像信号を供給する時間を、点順次方式と比較して、この例では６倍確保することができるので、高精細化に適している、と考えられている。
【特許文献１】特開２０００−１１２４３７号公報
【発明の開示】
【発明が解決しようとする課題】
【０００４】
ところで、パネルのサイズを拡大させるとコスト高を招くので、高精細化は、単位長当たりの走査線本数およびデータ線数を多くする方向で図られる。しかしながら、特に、単位長当たりのデータ線数が多くなると、データ線の配列ピッチが狭くなり、データ線同士が容量的に結合しやすくなるので、あるデータ線の電圧変化が隣接するデータ線に影響を及ぼすことになって、表示品位の低下が目立つようになった。
本発明は、上述した事情に鑑みてなされたもので、その目的とするところは、高精細化しても表示品位の低下現象を抑えることが可能な電気光学装置、電気光学装置の補正量決定方法並びに駆動方法および電子機器を提供することにある。
【課題を解決するための手段】
【０００５】
上記目的を達成するために本発明は、行方向に設けられた複数の走査線と、列方向に設けられた複数のデータ線とに対応して設けられた複数の画素を構成する複数の画素電極と、走査線が選択されたときにオンして、データ線に供給されたデータ信号を前記各画素電極に印加するスイッチング素子と、所定値の基準電位が印加されるとともに、画素電極に対し電気光学物質を挟持するように対向する共通電極と、前記走査線及び前記データ線を選択することで指定される前記画素に表示させえる階調に応じた電位のデータ信号を、所定の期間毎に、前記基準電位に対して高位側と低位側とに変化させて交互に供給するデータ信号供給回路と、前記データ信号の電位を、前記階調に対応するとともに高位側または低位側毎に予め定められた補正量だけ補正する補正回路とを具備する電気光学装置に用いる補正量決定方法であって、前記基準電位を前記所定値より高位側または低位側の一方側にシフトさせ、前記各画素に対して所定の階調を表示させるデータ信号を供給させる第１ステップと、前記第１ステップによって、任意の列の画素が他の列の画素とは異なる階調となった場合に、当該任意の列の画素を他の列の画素と同一階調となるように当該任意の列の画素に対するデータ信号の電位を補正するとともに、当該補正量を、前記所定の階調を表示させるデータ信号に対する、前記高位側または低位側の一方側の補正量として記憶する第２ステップと、前記基準電位を前記高位側または低位側の他方側にシフトさせ、各画素に対して前記所定の階調を表示させるデータ信号を供給させる第３ステップと、前記第３ステップによって、任意の列の画素が他の列の画素とは異なる階調となった場合に、当該任意の列の画素を他の列の画素と同一階調となるように当該任意の列の画素に対するデータ信号の電位を補正するとともに、当該補正量を、前記所定の階調を表示させるデータ信号に対する、前記高位側または低位側の他方側の補正量として記憶する第４ステップとを有することを特徴とする。この方法によれば、ある階調の補正量を書込極性に応じて２種類求めるとともに、表示時には、書込極性に応じてデータ信号が補正されるので、表示品位の低下を抑えることが可能となる。
【０００６】
この方法では、前記第１ステップにおいて、前記基準電位を前記高位側または低位側の一方側にシフトさせる代わりに、前記高位側または低位側のうち一方側の極性では、所定の階調を表示させるデータ信号を供給させ、前記高位側または低位側のうち他方側の極性では、前記画素に印加される電圧実効値を最大とさせる階調または当該階調近傍の階調を表示させるデータ信号を供給させても良い。
また、前記第３ステップにおいて、前記基準電位を前記高位側または低位側の他方側にシフトさせる代わりに、前記高位側または低位側のうち他方側の極性では、前記所定の階調を表示させるデータ信号を供給させ、前記高位側または低位側のうち一方側の極性では、前記画素に印加される電圧実効値を最大とさせる階調または当該階調近傍の階調を表示させるデータ信号を供給させても良い。
さらに、第１および第３ステップの双方を置き換えても良い。
このような方法によれば、第１または／および第３ステップにおいて基準電位をシフトさせなくても同等の効果を奏することができる。
なお、本発明は、電気光学装置や、電気光学装置の駆動方法としても概念することができる。また、本発明に係る電子機器は、上記電気光学装置を有するので、表示品位の低下を防止することが可能となる。
【発明を実施するための最良の形態】
【０００７】
以下、本発明の実施形態について図面を参照して説明する。図１は、本実施形態に係る電気光学装置の全体構成を示すブロック図である。
この図に示されるように、電気光学装置１０は、処理回路５０とパネル１００とに大別される。このうち、処理回路５０は、プリント基板に形成された回路モジュールであり、パネル１００とは、ＦＰＣ（Flexible Printed Circuit）基板等によって接続されている。
【０００８】
処理回路５０は、データ信号供給回路３００および制御回路５２とから構成され、データ信号供給回路３００は、さらにＳ／Ｐ変換回路３１０、補正回路３２１、３２６、Ｄ／Ａ変換回路群３３０および増幅・反転回路３４０を有する。
このうち、Ｓ／Ｐ変換回路３１０は、垂直走査信号Ｖｓおよび水平走査信号Ｈｓおよびドットクロック信号ＤＣＬＫに同期するとともに、図示しない上位装置から供給されるディジタルの映像データＶｉｄを、６チャネルに分配するとともに、それぞれ時間軸に６倍に伸長（相展開またはシリアル−パラレル変換ともいう）して、映像データＶｄ１ｄ〜Ｖｄ６ｄとして出力するものである。なお、説明の便宜上、映像データＶｄ１ｄ〜Ｖｄ６ｄをそれぞれチャネル１〜６と称することにする。
【０００９】
ここで、映像データＶｉｄは、水平有効表示期間では、画素の明るさを階調値で指定する一方、水平帰線期間では、画素を最低階調（黒色）に指定するデータである。
なお、水平帰線期間において画素を最低階調に指定する理由は、主に、タイミングズレなどにより画素に供給されたとしても、当該画素を表示に寄与させないためである。また、映像データＶｉｄをシリアル−パラレル変換する理由は、後述するサンプリングスイッチにおいて、データ信号が印加される時間を長くして、サンプル＆ホールド時間および充放電時間を確保するためである。
【００１０】
補正回路３２１は、チャネル１の映像データＶｄ１ｄを、書込極性毎に、階調値に対応して補正して、映像データＶｄ１ｆとして出力するものである。補正回路３２６は、チャネル６の映像データＶｄ６ｄを、書込極性毎に、階調値に対応して補正して、映像データＶｄ６ｆとして出力するものである。なお、補正回路３２１、３２６の詳細な構成について後述する。
【００１１】
Ｄ／Ａ変換回路群３３０は、チャネル毎に設けられたＤ／Ａ変換器の集合体であって、映像データＶｄ１ｆ、Ｖｄ２ｄ〜Ｖｄ５ｄ、Ｖｄ６ｆを、それぞれ階調値に応じた電圧のアナログ信号に変換するものである。
増幅・反転回路３４０は、アナログ変換された信号を、後述するように電圧Ｖcを基準にして正転または極性反転して、データ信号Ｖｉｄ１〜Ｖｉｄ６としてパネル１００に供給するものである。
極性反転については、（ａ）走査線毎、（ｂ）データ信毎、（ｃ）画素毎、（ｄ）面（フレーム）毎など様々な態様があるが、この実施形態にあっては（ａ）走査線毎の極性反転であるとする。ただし、本発明をこれに限定する趣旨ではない。
なお、電圧Ｖcは、後述する図７に示されるように画像信号の振幅中心電圧である。また、本実施形態では、便宜上、振幅中心電圧Ｖcよりも高位電圧を正極性と、低位電圧を負極性と、それぞれ称している。
この実施形態では、映像データＶｉｄをシリアル−パラレル変換した後にアナログ変換する構成とするが、シリアル−パラレル変換前にアナログ変換しても良いのはもちろんである。
【００１２】
ここで、パネル１００の構成について説明する。このパネル１００は、電気光学変化によって所定の画像を形成するものであり、図２は、パネル１００の電気的な構成を示すブロック図である。また、図３は、パネル１００の画素の詳細な構成を示す図である。
図２に示されるように、パネル１００では、複数本の走査線１１２が横方向（行方向、Ｘ方向）に延接される一方、複数本のデータ線１１４が図において縦方向（列方向、Ｙ方向）に延設されている。そして、これらの走査線１１２とデータ線１１４との交差の各々に対応するように画素１１０がそれぞれ設けられて、表示領域１００ａを構成している。
本実施形態では、走査線１１２の本数（行数）を「ｍ」とし、データ線の本数（列数）を「６ｎ」（６の倍数）として、画素１１０が、縦ｍ行×横６ｎ列のマトリクス状に配列する構成を想定する。
【００１３】
６本の画像信号線１７１には、増幅・反転回路３４０によるデータ信号Ｖｉｄ１〜Ｖｉｄ６がそれぞれ供給される。
各データ線１１４の一端には、画像信号線１７１に供給されるデータ信号Ｖｉｄ１〜Ｖｉｄ６の各々をデータ線１１４にサンプリングするサンプリングスイッチ１５０がそれぞれ設けられている。各サンプリングスイッチ１５０は、本実施形態では、ｎチャネル型の薄膜トランジスタ（Thin Film Transistor、以下、ＴＦＴと称する）であり、そのドレインがデータ線１１４に接続される一方、そのゲートは、６本のデータ線１１４を１単位として共通接続されている。
【００１４】
ここで、サンプリングスイッチ１５０のゲートが共通接続されているデータ線１１４を１つのブロックとして考える。そして、このようなブロックを考えた場合、図２において左から数えてｊ列目のデータ線１１４の一端にドレインが接続されたサンプリングスイッチ１５０は、ｊを６で割った余りが「１」であるならば、そのソースが、データ信号Ｖｉｄ１が供給される画像信号線１７１に接続される。同様に、ｊを６で割った余りが「２」、「３」、「４」、「５」、「０」であるデータ線１１４にドレインが接続されたサンプリングスイッチ１５０の各々ソースは、データ信号Ｖｉｄ２〜Ｖｉｄ６が供給される画像信号線１７１にそれぞれ接続されている。例えば、図２において左から数えて１１列目のデータ線１１４にドレインが接続されたサンプリングスイッチ１５０のソースは、「１１」を６で割った余りが「５」であるから、データ信号Ｖｉｄ５が供給される画像信号線１７１に接続される。なお、ここでいう「ｊ」は、データ線１１４を一般化して説明するためのものであって、１≦ｊ≦６ｎを満たす正整数である。
【００１５】
走査線駆動回路１３０は、図６に示されるように、垂直有効表示期間の最初に供給される転送開始パルスＤＹを、クロック信号ＣＬＹのレベルが遷移する（立ち上がる又は立ち下がる）タイミングで取り込むとともに順次シフトし、水平走査期間（１Ｈ）だけＨレベルになる走査信号Ｇ１、Ｇ２、…、Ｇｍとして順次排他的に出力するものである。なお、走査線駆動回路１３０の詳細については、本発明と直接関連しないので省略する。
【００１６】
また、シフトレジスタ１４２は、図６に示されるように、水平有効表示期間の最初に供給される転送開始パルスＤＸを、クロック信号ＣＬＸのレベルが遷移するタイミングで取り込むとともに順次シフトして、そのパルス幅を狭めてサンプリング信号Ｓ１、Ｓ２、Ｓ３、…、Ｓ（ｎ−１）、Ｓｎとして出力するものである。なお、このシフトレジスタ１４２の詳細についても、本発明と直接関連しないので省略する。
【００１７】
これらのサンプリング信号Ｓ１、Ｓ２、Ｓ３、…、Ｓｎは、図２においてブロック化されたデータ線１１４に対応するサンプリングスイッチのゲートに共通に供給される。例えば、左から数えて２番目のブロックには、７列〜１２列目のデータ線１１４に対応するので、これらのデータ線１１４に対応するサンプリングスイッチ１５０のゲートには、サンプリング信号Ｓ２が共通に供給される。
なお、サンプリングスイッチ１５０を構成するＴＦＴについては、本実施形態ではｎチャネル型としているが、ｐチャネル型としても良いし、両チャネルを組み合わせた相補型としても良い。
【００１８】
次に、画素１１０について説明する。
図３に示されるように、画素１１０においては、ｎチャネル型のＴＦＴ１１６のソースがデータ線１１４に接続されるとともに、ドレインが画素電極１１８に接続される一方、ゲートが走査線１１２に接続されている。
また、画素電極１１８に対向するように共通電極１０８が全画素に対して共通に設けられるとともに、制御回路５２から供給される電圧ＬＣcomに維持される。そして、これらの画素電極１１８と共通電極１０８との間に液晶層１０５が挟持されている。このため、画素毎に、画素電極１１８、共通電極１０８および液晶層１０５からなる液晶容量が構成されることになる。
【００１９】
特に図示はしないが、両基板の各対向面には、液晶分子の長軸方向が両基板間で例えば約９０度連続的に捻れるようにラビング処理された配向膜がそれぞれ設けられる一方、両基板の各背面側には配向方向に応じた偏光子がそれぞれ設けられる。
画素電極１１８と共通電極１０８との間を通過する光は、液晶容量に印加される電圧実効値がゼロであれば、液晶分子の捻れに沿って約９０度旋光する一方、当該電圧実効値が大きくなるにつれて、液晶分子が電界方向に傾く結果、その旋光性が消失する。このため、例えば透過型において、入射側と背面側とに、配向方向に合わせて偏光軸が互いに直交する偏光子をそれぞれ配置させると、当該電圧実効値がゼロに近ければ、光の透過率が最大となって白色表示になる一方、電圧実効値が大きくなるにつれて透過する光量が減少して、ついには透過率が最小である黒色表示になる（ノーマリーホワイトモード）。
また、液晶容量において電荷をリークしにくくさせるために、蓄積容量１０９が画素毎に形成されている。この蓄積容量１０９の一端は、画素電極１１８（ＴＦＴ１１６のドレイン）に接続される一方、その他端は、全画素にわたって共通接地されている。
なお、画素１１０におけるＴＦＴ１１６は、走査線駆動回路１３０や、シフトレジスタ１４２、サンプリングスイッチ１５０の構成素子と共通の製造プロセスで形成されて、装置全体の小型化や低コスト化に寄与している。
【００２０】
再び説明を図１に戻す。制御回路５２は、上位装置から供給されるドットクロック信号ＤＣＬＫ、垂直走査信号Ｖｓおよび水平走査信号Ｈｓから、転送開始パルスＤＸおよびクロック信号ＣＬＸを生成してシフトレジスタ１４２による水平走査を制御するとともに、転送開始パルスＤＹおよびクロック信号ＣＬＹを生成して、走査線駆動回路１３０による垂直走査を制御するものである。こ
また、制御回路５２は、水平走査に同期して、上述したＳ／Ｐ変換回路３１０における相展開を制御するとともに、書込極性を指定する信号ＰＬ、および、モードを指定する信号Ｍｄを出力する。
【００２１】
ここで、本実施形態においてモードには、通常表示動作である表示モードと、調整のための調整モードとが存在する。調整モードである場合、制御回路５２は、共通電極１０８に印加する電圧ＬＣcomを、表示モードにおける値よりも高位側および低位側にそれぞれ振らせる。なお、表示モードにおける電圧ＬＣcomは、極性反転の基準である電圧Ｖcよりも低位となるように設定される。
また、増幅・反転回路３４０は、Ｄ／Ａ変換回路群３３０によってアナログ変換された信号を、信号ＰＬで正極性書込が指定されたならば正転する一方、信号ＰＬで負極性書込が指定されたならば極性反転して、それぞれデータ信号Ｖｉｄ１〜Ｖｉｄ６として出力する。
【００２２】
次に、電気光学装置１０の動作について説明する。本実施形態では、補正回路３２１（３２６）に特徴があるので、まず、補正回路３２１（３２６）が存在しない場合について、その不具合とともに説明し、その後、補正回路３２１（３２６）が存在する場合に、その不具合がどう解消されるのか、という展開で説明することにする。
【００２３】
そこでまず、補正回路３２１（３２６）が存在しない場合の動作、すなわち、映像データＶｄ１ｄ、Ｖｄ６ｄが、そのままＤ／Ａ変換される場合の動作について説明する。図６は、電気光学装置１０において、垂直走査および水平走査の動作を説明するための図であり、図７は、連続する水平走査期間にわたって供給されるデータ信号の電圧波形の例を示す図である。
垂直有効表示期間の最初において、転送開始パルスＤＹが走査線駆動回路１３０に供給される。この供給によって、図６に示されるように、走査信号Ｇ１、Ｇ２、Ｇ３、…、Ｇｍが順次排他的にＨレベルになって、それぞれ走査線１１２に出力される。そこでまず走査信号Ｇ１がＨレベルになる水平走査期間について着目する。
【００２４】
水平走査期間は、水平帰線期間とこれに続く水平有効表示期間とに分けられる。水平有効表示期間では、水平走査に同期して供給される映像データＶｉｄが、第１に、Ｓ／Ｐ変換回路３１０によって６チャネルに分配されるとともに、時間軸に対して６倍に伸長され、第２に、Ｄ／Ａ変換回路群３３０によってそれぞれアナログ信号に変換され、第３に、さらに、増幅・反転回路３４０によって正極性書込に対応して電圧Ｖcを基準に正転して出力される。このため、増幅・反転回路３４０によるデータ信号Ｖｉｄ１〜Ｖｉｄ６の電圧は、画素を暗くさせるほど、電圧Ｖcよりも高位となる。
一方、走査信号Ｇ１がＨレベルになる水平有効表示期間では、図６に示されるように、シフトレジスタ１４２は、転送開始パルスＤＸをクロック信号ＣＬＸによって取り込んで順次シフトするとともに、そのパルス幅を狭めたサンプリング信号Ｓ１、Ｓ２、Ｓ３、…、Ｓｎを出力する。
【００２５】
ここで、走査信号Ｇ１がＨレベルになる水平有効走査期間において、サンプリング信号Ｓ１がＨレベルになると、左から１番目のブロックに属する６本のデータ線１１４には、データ信号Ｖｉｄ１〜Ｖｉｄ６のうち対応するものがそれぞれサンプリングされる。そして、サンプリングされたデータ信号Ｖｉｄ１〜Ｖｉｄ６は、図２において上から数えて１行目の走査線１１２と当該６本（左から数えて１〜６列目）のデータ線１１４と交差する画素の画素電極１１８にそれぞれ印加されることになる。
この後、サンプリング信号Ｓ２がＨレベルになると、今度は、２番目のブロックに属する６本のデータ線１１４に、それぞれデータ信号Ｖｉｄ１〜Ｖｉｄ６がサンプリングされて、これらのデータ信号Ｖｉｄ１〜Ｖｉｄ６が、１行目の走査線１１２と当該６本（左から数えて７〜１２列目）のデータ線１１４と交差する画素の画素電極１１８にそれぞれ印加されることになる。
【００２６】
以下同様にして、サンプリング信号Ｓ３、Ｓ４、……、Ｓ（ｎ−１）、Ｓｎが順次Ｈレベルになると、第３番目、第４番目、…、第ｎ番目のブロックに属する６本のデータ線１１４にデータ信号Ｖｉｄ１〜Ｖｉｄ６のうち対応するものがサンプリングされ、これらのデータ信号Ｖｉｄ１〜Ｖｉｄ６が、１行目の走査線１１２と当該６本のデータ線１１４と交差する画素の画素電極１１８にそれぞれ印加されることになる。これにより、第１行目の画素のすべてに対する書き込みが完了することになる。その後、走査信号Ｇ１がＬレベルになってＴＦＴ１１６がオフしても、書き込まれた電圧は、液晶容量や蓄積容量１０９によって保持される。
【００２７】
続いて、走査信号Ｇ２がＨレベルになる期間について説明する。本実施形態では、上述したように、走査線単位の極性反転が行われるので、この水平有効表示期間においては、負極性書込が行われることになる。
一方、水平帰線期間において映像データＶｉｄは画素の黒色化を指定するが、直前の水平有効表示期間では正極性書込であったので、データ信号Ｖｉｄ１〜Ｖｉｄ６は、図７に示されるように、この水平帰線期間の略中心タイミングにおいて、画素１１０における画素電極１１８に印加された場合に当該画素を最低階調の黒色とさせる正極性電圧Ｖb(+)から当該画素を最低階調の黒色とさせる負極性電圧Ｖb(-)へと切り替わる。
なお、図７における電圧の関係について言及すると、電圧Ｖw(-)、Ｖg(-)は、画素１１０における画素電極１１８に印加された場合に当該画素を、それぞれ最高階調の白色、中間階調である灰色とさせる負極性電圧である。一方、Ｖw(+)、Ｖg(+)は、画素１１０における画素電極１１８に印加された場合に、それぞれ当該画素を最高階調の白色、中間階調である灰色とさせる正極性電圧であり、電圧Ｖcを基準にしたときにＶw(-)、Ｖg(-)と対称関係にある。
【００２８】
走査信号Ｇ２がＨレベルになる水平有効表示期間の動作は、走査信号Ｇ１がＨレベルになる水平有効表示期間と同様であり、サンプリング信号Ｓ１、Ｓ２、Ｓ３、…、Ｓｎが順次Ｈレベルになって、第２行目の画素のすべてに対する書き込みが完了することになる。ただし、走査信号Ｇ２がＨレベルとなる水平有効表示期間は負極性書込であるので、増幅・反転回路３４０は、６チャネルに分配伸長された信号を、負極性書込に対応して、電圧Ｖcを基準に反転して出力する。このため、データ信号Ｖｉｄ１〜Ｖｉｄ６の電圧は、図７に示されるように、画素を暗くさせるほど、電圧Ｖcよりも低位となる。
【００２９】
以下同様にして、走査信号Ｇ３、Ｇ４、…、ＧｍがＨレベルになって、第３行目、第４行目、…、第ｍ行目の画素に対して書き込みが行われることになる。これにより、奇数行目の画素については正極性書込が行われる一方、偶数行目の画素については負極性書込が行われて、この１垂直走査期間においては、第１行目〜第ｍ行目の画素のすべてにわたって書き込みが完了することになる。
なお、データ信号Ｖｉｄ１〜Ｖｉｄ６は、水平帰線期間の略中心タイミングにおいて、正極性書込の水平有効表示期間から負極性書込の水平有効表示期間に移行する場合には電圧Ｖb(+)から電圧Ｖb(-)へ、負極性書込の水平有効表示期間から正極性書込の水平有効表示期間に移行する場合には電圧Ｖb(-)から電圧Ｖb(+)へ、それぞれ切り替わる。
また、次の１垂直走査期間においても、同様な書き込みが行われるが、この際、各行の画素に対する書込極性が入れ替えられる。すなわち、次の１垂直走査期間において、奇数行目の画素については負極性書込が行われる一方、偶数行目の画素については正極性書込が行われることになる。
このように、１垂直走査期間毎に画素に対する書込極性が入れ替えられるので、液晶層１０５に直流成分が印加されることがなくなり、液晶層１０５の劣化が防止される。
【００３０】
上述したように、本実施形態では、表示モードにおいて共通電極１０８に印加される電圧ＬＣcomは、極性反転の基準である電圧Ｖcよりも低位となるように設定される。この理由は、いわゆるサンプリングスイッチ１５０を構成するＴＦＴのプッシュダウンの影響を考慮したためである。このプッシュダウンについて簡単に説明すると、ＴＦＴのゲート電圧（サンプリング信号）がＨレベルからＬレベルに変化するときに（オンからオフするときに）、ドレイン側で保持された電圧が低下する現象である。この原因は、特にゲート・ソース・間の寄生容量であるので、ソース電圧が低いほど顕著に表れる。
【００３１】
このプッシュダウンの影響を波形として例示する。例えば画素を灰色とするために、データ信号として電圧Ｖg(+)、Ｖg(-)を垂直走査期間毎に交互に書き込む場合、当該画素における画素電極１１８の電圧波形は、図８に示される通りとなる。
当該画素が選択される１水平走査期間にわたってＴＦＴ１１６はオンするが、当該水平走査期間のうち、ブロックが選択される期間だけ、当該画素に対応するデータ線のサンプリングスイッチ１５０がオンする。換言すれば、当該水平走査期間の途中でサンプリングスイッチ１５０がオフする。このため、データ線１１４にサンプリングされたデータ信号は、サンプリングスイッチ１５０のオフ時におけるプッシュダウンの影響を受けることになる。さらに、この図に示されるように、正極性の灰色相当電圧Ｖg(+)を書き込んだ直後のプッシュダウンよりも、負極性の灰色相当電圧Ｖg(-)を書き込んだ直後のプッシュダウンの方が大きくなる。
したがって、共通電極１０８に、極性反転の基準である電圧Ｖcを印加したのでは、液晶容量の実効的な電圧が、正極性書込よりも負極性書込の方が大きくなるので、液晶容量に直流成分が印加されてしまう。これを避けるために、プッシュダウン量が極性で異なっても、結果的に、液晶容量に印加される電圧実効値が等しくなるように、共通電極１０８に印加する電圧ＬＣcomを電圧Ｖcよりも低位側に設定しているのである。
ここで、正極性書込と負極性書込とにおいて電圧Ｖcからみて対称関係にある電圧を書き込んだときに、両極性の実効的な電圧が互いに等しくなるような電圧ＬＣcomを特に最適ＬＣcomと称することにする。
【００３２】
一方、上述したようにデータ線１１４の配列ピッチが狭い場合、あるデータ線は、隣接するデータ線と容量的に結合する度合いが大きくなる。
また、本実施形態では、６本のデータ線をブロック化してまとめて選択する相展開駆動方式を採用している。この相展開駆動方式において、あるブロックが選択された場合、ブロック境界以外の部分のデータ線（チャネル２〜５に対応するデータ線）の各々については、自身のデータ線が電圧変化するとき（データ信号がサンプリングされるとき）、両側で隣接するデータ線も同時に電圧変化する。これに対し、ブロック境界部分のデータ線（チャネル１、６に対応するデータ線）については、自身のデータ線が電圧変化するときに、一方側で隣接するデータ線は同時に電圧変化するが、他方側で隣接するデータ線は電圧変化しない。このため、付加容量が大きくなるのと同等となり、ブロック境界部分のデータ線では、ブロック境界以外の部分のデータ線と比べて、そのプッシュダウン量が圧縮される（図９（ａ）および同図（ｂ）参照）。
このため、ブロック境界部分の画素は、ブロック境界以外の部分の画素と比較すると、液晶容量の電圧実効値が異なってしまう。したがって、たとえ同じ階調で表示させようとしても、ブロック境界部分における画素の階調は、ブロック境界以外の部分における画素の階調とは異なってしまうことになる。ここで、画素の階調の相違は、ブロックの境界に沿って発生するので、表示領域１００ａでは縦状のスジとなって現れる。
【００３３】
そこで、このような縦状のスジを解消するための方策について検討する。上述したように、縦スジの主原因は、ブロック境界部分のデータ線におけるプッシュダウン量と、ブロック境界以外の部分のデータ線におけるプッシュダウン量とが異なることである。このため、ブロック境界部分のデータ線におけるプッシュダウン量と、ブロック境界以外の部分のデータ線におけるプッシュダウン量とが相違しても、最終的に（プッシュダウン後に）保持される電圧が一致するような構成とすれば良いはずである。このような構成としては、次の２通りが想定される。
すなわち、ブロック境界以外の部分のデータ線において最終的に保持される電圧を、ブロック境界部分のデータ線において最終的に保持される電圧に一致するように、映像データ（またはデータ信号）を補正する案（１）か、逆に、ブロック境界部分のデータ線において最終的に保持される電圧を、ブロック境界以外の部分のデータ線において最終的に保持される電圧に一致するように、映像データ（またはデータ信号）を補正する案（２）の２通りが想定される。
このうち、前者の案（１）では、多数派であるチャネル２〜５のデータ信号を補正することになるほか、電圧ＬＣcomを再調整する必要があるので、本実施形態では（２）の案を採用する。
【００３４】
このような案（２）を具体化したものが、図１における補正回路３２１、３２６である。このうち、補正回路３２１は、ブロック境界部分のうち、チャネル１に対応するデータ線で最終的に保持される電圧を、ブロック境界以外のチャネル２〜５のデータ線で最終的に保持される電圧に一致するように、映像データＶｄ１ｄを補正するものであり、補正回路３２６は、ブロック境界部分のうち、チャネル６に対応するデータ線で最終的に保持される電圧を、ブロック境界以外のチャネル２〜５のデータ線で最終的に保持される電圧に一致するように、映像データＶｄ６ｄを補正するものである。
【００３５】
補正回路３２１、３２６とは、略同一構成であるので、ここでは、補正回路３２１の詳細について図４を参照して説明する。
この図において、セレクタ（デマルチプレクサ）３２１２は、信号ＰＬによって正極性書込が指定された場合には出力端Ａを選択する一方、信号ＰＬによって負極性書込が指定された場合には出力端Ｂを選択して、相展開された映像データＶｄ１ｄを選択した出力端側に出力するものである。
変換テーブル３２２２は、正極性書込時に対応するものであり、映像データで指定される階調値毎に補正データを記憶する。ここで、変換テーブル３２２２は、信号Ｍｄによって表示モードが指定された場合には、映像データで指定される階調値に対応する補正データを読み出して出力する一方、信号Ｍｄによって調整モードが指定された場合には、記憶内容にかかわらず、補正量ゼロの補正データを出力するとともに、ある階調値に対応する補正データを、後述する調整器３２１６から出力される調整データＰｘに変更する。
この変換テーブル３２２２に記憶される補正データは、正極性書込において映像データＶｄ１ｄに加算され、当該加算データに基づきデータ信号Ｖｉｄ１が出力された場合に、チャネル１のデータ線で最終的に保持される電圧が、チャネル２〜５のデータ線で最終的に保持される電圧と一致するような値である。
【００３６】
加算器３２２４は、セレクタ３２１２から出力される映像データＶｄ１ｄと、変換テーブル３２２２から出力される補正データとを加算して出力する。
また、調整器３２１６は、信号Ｍｄによって調整モードが指定された場合に、制御回路５２の制御の下、正極性用の調整データＰｘと、負極性用の調整データＭｘとをそれぞれ生成して出力する。一方、調整器３２１６は、信号Ｍｄによって表示モードが指定された場合に、調整データＰｘ、Ｍｘとしてそれぞれゼロデータを出力する。
加算器３２２６は、加算器３２２４による加算データと調整器３２１６による調整データＰｘとを加算して、セレクタ３２１４の入力端Ａに供給する。
【００３７】
一方、変換テーブル３２３２は、負極性書込に対応するものであり、映像データで指定される階調値毎に補正データを記憶する。ここで、変換テーブル３２３２は、信号Ｍｄによって表示モードが指定された場合には、映像データで指定される階調値に対応する補正データを読み出して出力する一方、信号Ｍｄによって調整モードが指定された場合には、記憶内容にかかわらず、補正量ゼロの補正データを出力するとともに、ある階調値に対応する補正データを、後述する調整器３２１６から出力される調整データＭｘに変更する。
なお、正極性書込に対応する変換テーブル３２２２と負極性書込に対応する変換テーブル３２３２とによって補正量記憶回路が構成される。
【００３８】
加算器３２３４は、セレクタ３２１２から出力される映像データＶｄ１ｄと、変換テーブル３２３２から出力される補正データとを加算して出力する。加算器３２３６は、加算器３２３４による加算データと調整器３２１６による調整データＭｘとを加算して、セレクタ３２１４の入力端Ｂに供給する。
セレクタ（マルチプレクサ）３２１４は、信号ＰＬによって正極性書込が指定された場合には入力端Ａを選択する一方、信号ＰＬによって負極性書込が指定された場合には入力Ｂを選択して、選択した入力端に供給されたデータを、それぞれ補正済みの映像データＶｄ１ｄとして供給するものである。
なお、チャネル６に対応する補正回路３２６も図４と同様な構成となる。
【００３９】
ここで、説明の便宜上、調整モードにおける動作について説明する。この調整モードとは、変換テーブル３２２２、３２２４に対し、階調値に対応する補正データを記憶・更新するモードである。調整モードにおいて、パネル１００の表示面には、例えばＣＣＤカメラ等が設置されて、実際に表示された画面が画像処理されて検査される（その構成は図示省略）。そして、この調整モードでは、第１〜第４ステップの動作が階調値Ｋ４、Ｋ８、Ｋ１２毎に繰り返される。
なお、本実施形態においては、図５（ａ）に示されるように、画素の最低階調（黒）が階調値Ｋ０であり、画素の最高階調（白）が階調値Ｋ１６であって、その間の階調が、階調値Ｋ１〜Ｋ１５で規定されるものとする。したがって、階調値Ｋ８に対応する階調とは、最低階調と最高階調とのちょうど中間に相当する。また、階調値Ｋ４は、最低階調と階調値Ｋ８との中間に相当し、階調値Ｋ１２は、階調値Ｋ８と最高階調との中間に相当する。
【００４０】
次に、階調値Ｋ８についての第１〜第４ステップについて説明する。なお、階調値Ｋ８についての第１〜第４ステップでは、上位装置から供給される映像データＶｉｄは、すべての画素を階調値Ｋ８に対応する階調に指定する内容となる。
まず、第１ステップにおいて、制御回路５２は、補正回路３２１（３２６）の調整器３２１６に対し調整データＰｘ、Ｍｘの値をゼロとするように制御する。
補正回路３２１（３２６）では、信号ＰＬにより正極性書込が指定されると、セレクタ３２１２は出力端Ａを、セレクタ３２１４は入力端Ａを、それぞれ選択するので、映像データＶｄ１ｄは、変換テーブル３２２２、加算器３２２４、３２２６を経由する。ただし、調整モードにおいて変換テーブル３２２２からは、映像データＶｉｄで指定される階調にかかわりなくゼロのデータが出力されるので、加算器３２２４による加算結果は、相展開された映像データＶｄ１ｄそのものである。また、調整モードにおいて加算器３２２６からは、加算器３２２４による加算結果である映像データＶｄ１ｄと調整データＰｘとの加算結果となるが、この段階では、調整データＰｘはゼロであるから、映像データＶｄ１ｄがそのままセレクタ３２１４の入力端Ａに供給されることになる。
【００４１】
一方、信号ＰＬにより負極性書込が指定されると、セレクタ３２１２は出力端Ｂを、セレクタ３２１４は入力端Ｂを、それぞれ選択するので、映像データＶｄ１ｄは、変換テーブル３２３２、加算器３２３４、３２３６を経由するが、正極性書込が指定された場合と同じ理由から、映像データＶｄ１ｄがそのままセレクタ３２１４の入力端Ｂに供給されることになる。
【００４２】
したがって、第１ステップでは、セレクタ３２１４から出力される補正済み映像データＶｄ１ｆ（Ｖｄ６ｆ）は映像データＶｄ１ｄ（Ｖｄ６ｄ）そのものとなるので、各画素の画素電極１１８に印加される電圧波形は、図１０（ａ）に示される通りとなる。すなわち、この電圧波形それ自体は、図８の波形と同一となる。なお、同図では、階調値Ｋ８が、正極性ではデータ信号電圧Ｖg(+)に、負極性ではデータ信号電圧Ｖg(-)に、それぞれ対応していることが示されている。
【００４３】
また、第１ステップにおいて、制御回路５２は、共通電極１０８に印加させる電圧ＬＣcomを図１０（ａ）に示されるように最適ＬＣcomよりも高位側にシフトさせる。このように電圧ＬＣcomを高位側にシフトさせると、負極性書込による実効的な電圧が高くなる一方、正極性書込による実効的な電圧は逆に低くなる。ここで、最終的な画素の階調は、負極性書込と正極性書込とにわたる２垂直走査期間を単位とした電圧実効値で定まるので、書込極性における実効的な電圧値の小さい方の影響を大きく受けることなる。このため、電圧ＬＣcomを高位側にシフトさせた場合には、正極性書込における実効的な電圧の差が主に階調差となって現れることになる。
【００４４】
上述したように、ブロック境界部分のデータ線で発生するプッシュダウン量は、ブロック境界以外の部分のデータ線で発生するプッシュダウン量よりも圧縮されるので、電圧実効値でみると、ブロック境界部分の画素の方が、ブロック境界以外の部分の画素よりも大きくなり、階調でみると暗くなる（ノーマリーホワイトモード）。このため表示領域１００ａでは、灰色を背景として、それよりも暗い縦状のスジが現れることになる。
【００４５】
次に、第２ステップとして、制御回路５２は、チャネル１に対応する補正回路３２１の調整器３２１６に対し、調整データＰｘ、Ｍｘの値をそれぞれゼロから徐々に同一のペースで増加させるように制御する一方、チャネル６に対応する補正回路３２６の調整器３２１６に対しては、調整データＰｘ、Ｍｘの値をゼロに維持するように制御する。
加算器３２２６（３２３６）の加算結果は、調整モードでは、映像データＶｄ１ｄ（Ｖｄ６ｄ）に調整データＰｘ（Ｍｘ）を加算した値である。このため、調整データＰｘ、Ｍｘの値が増加すると、加算器３２２６（３２３６）の加算結果も増加するので、補正済みの映像データＶｄ１ｆは、画素の階調を明るくする方向に変化することになる。
したがって、縦スジのうち、チャネル１のデータ線に対応する画素は、徐々に明るくなるので、チャネル２〜５のデータ線に対応する画素と同じ階調となって、縦スジの一部が解消するタイミングが存在する。同じ階調となったことが、パネル１００の表示画面を画像処理した結果から判明すると、制御回路５２は、チャネル１に対応する補正回路３２１の調整器３２１６に対し、調整データＰｘ、Ｍｘの増加を停止させるとともに、そのときの調整データＰｘを、正極性書込の階調値Ｋ８に対応する補正データＰ８として記憶内容を記憶または更新させる。これにより、チャネル１の補正回路３２１において正極性書込の階調値Ｋ８に対応する補正データＰ８が得られることになる（図５（ｂ）参照）。
【００４６】
制御回路５２は、同様に、チャネル６に対応する補正回路３２６の調整器３２１６に対し、同様に、調整データＰｘ、Ｍｘの値をそれぞれ徐々に同一のペースで増加させるように制御する。そして、チャネル６のデータ線に対応する画素が、チャネル１〜５のデータ線に対応する画素と同じ階調となったことが、パネル１００の表示画面を画像処理した結果から判明すると、制御回路５２は、チャネル６に対応する補正回路３２６の調整器３２１６に対し、調整データＰｘ、Ｍｘの増加を停止させるとともに、そのときの調整データＰｘを、正極性書込の階調値Ｋ８に対応する補正データとして記憶内容を記憶または更新させる。これにより、チャネル６の補正回路３２６においても正極性書込の階調値Ｋ８に対応する補正データが得られる。
【００４７】
次に、第３ステップにおいて、制御回路５２は、補正回路３２１（３２６）の調整器３２１６に対し調整データＰｘ、Ｍｘの値をゼロとさせる。
また、第３ステップにおいて、制御回路５２は、共通電極１０８に印加させる電圧ＬＣcomを図１０（ｂ）に示されるように最適ＬＣcomよりも低位側にシフトさせる。このように電圧ＬＣcomを低位側にシフトさせると、負極性書込による実効的な電圧が低くなる一方、正極性書込による実効的な電圧は逆に高くなるので、負極性書込における実効的な電圧の差が主に階調差となって現れることになる。このため、表示領域１００ａでは、灰色を背景として、それよりも明るい縦状のスジが現れることになる。
【００４８】
次に、第４ステップとして、制御回路５２は、チャネル１に対応する補正回路３２１の調整器３２１６に対し、調整データＰｘ、Ｍｘの値をそれぞれゼロから徐々に同一のペースで低下させるように制御する一方、チャネル６に対応する補正回路３２６の調整器に対しては、調整データＰｘ、Ｍｘの値をゼロに維持するように制御する。このため、調整データＰｘ、Ｍｘの値が低下すると、加算器３２２６（３２３６）の加算結果は、実質的に減算結果となるので、補正済みの映像データＶｄ１ｆは、画素の階調を暗くする方向に変化することになる。
したがって、縦スジのうち、チャネル１のデータ線に対応する画素は、徐々に暗くなるので、チャネル２〜５のデータ線に対応する画素と同じ階調となって、縦スジの一部が解消するタイミングが存在する。同じ階調となったことが、パネル１００の表示画面を画像処理した結果から判明すると、制御回路５２は、チャネル１に対応する補正回路３２１の調整器３２１６に対し、調整データＰｘ、Ｍｘの低下を停止させるとともに、変換テーブル３２３２に対し、そのときの調整データＰｘを負極性書込の階調値Ｋ８に対応する補正データＭ８とするように記憶内容を記憶または更新させる。これにより、チャネル１の補正回路３２１において負極性書込の階調値Ｋ８に対応する補正データＭ８が得られる。
【００４９】
制御回路５２は、同様に、チャネル６に対応する補正回路３２６の調整器３２１６に対し、調整データＰｘ、Ｍｘの値をそれぞれ徐々に同一のペースで低下させるように制御する。そして、チャネル６のデータ線に対応する画素が、チャネル１〜５のデータ線に対応する画素と同じ階調となったことが、パネル１００の表示画面を画像処理した結果から判明すると、制御回路５２は、チャネル６に対応する補正回路３２６の調整器３２１６に対し、調整データＰｘ、Ｍｘの低下を停止させるとともに、変換テーブル３２３２に対し、そのときの調整データＰｘを負極性書込の階調値Ｋ８に対応する補正データとするように記憶内容を記憶または更新させる。これにより、チャネル６の補正回路３２６においても負極性書込の階調値Ｋ８に対応する補正データが得られることになる。
【００５０】
同様な第１〜第４ステップが同様に繰り返される。すなわち、階調値Ｋ４を指定する映像データＶｉｄの供給を受けて、階調値Ｋ４についての第１〜第４ステップが実行され、階調値Ｋ８を指定する映像データＶｉｄの供給を受けて、階調値Ｋ８についての第１〜第４ステップが実行される。
これにより、チャネル１、６の補正回路３２１、３２６において、階調値Ｋ４、Ｋ１２に対応する正極性の補正データＰ４、Ｐ１２と、負極性の補正データＭ４、Ｍ１２とが得られる。このうち、正極性の補正データＰ４、Ｐ１２については、変換テーブル３２２２に記憶される一方、負極性の補正データＭ４、Ｍ１２については、変換テーブル３２３２に記憶される（図５（ｂ）参照）。
【００５１】
この段階では、チャネル１、６の補正回路３２１、３２６において、階調値Ｋ４、Ｋ８、Ｋ１２に対応する正極性の補正データＰ４、Ｐ８、Ｐ１２と、負極性の補正データＭ４、Ｍ８、Ｍ１２とが得られたに過ぎない。そこで、制御回路５２は、正極性の他の階調値に対応する補正データについては、すでに得られた補正データＰ４、Ｐ８、Ｐ１２から補間によって求めて、変換テーブル３２２２に記憶する一方、負極性について他の階調値に対応する補正データについては、すでに得られた補正データＭ４、Ｍ８、Ｍ１２から補間によって求めて、変換テーブル３２３２に記憶する。これによって、例えば図５（ｃ）に示されるような特性で、階調値Ｋ０〜Ｋ１６の各々に対応する正極性の補正データＰ０〜Ｐ１７が変換テーブル３２２２に記憶される一方、階調値Ｋ０〜Ｋ１６の各々に対応する負極性の補正データＭ０〜Ｍ１７が変換テーブル３２３２に記憶される。この補間動作は、いうまでもなくチャネル１、６の双方において実行される。
【００５２】
なお、本実施形態では、代表的な階調値としてＫ４、Ｋ８、Ｋ１２を選んでいるが、中間値に近傍の灰色範囲であれば良い。その理由は、液晶の電圧−透過（反射）率特性は、灰色において最も急峻であり、実効的な電圧の差が表示の差となって現れやすいからである。換言すれば、下限の階調値Ｋ０、上限の階調値Ｋ１６近傍の階調範囲は、実効的な電圧の差が大きくても、表示の差としてほとんど現れないので、補間の基礎となる階調値として用いるには難がある。
【００５３】
次に、表示モードにおける補正回路３２１（３２６）の動作について説明する。なお、表示モードでは、通常の表示動作を想定しており、調整モードにおけるＣＣＤカメラ等は特に必要されない。
【００５４】
まず、信号ＰＬによって正極性書込が指定されると、セレクタ３２１２は出力端Ａを、セレクタ３２１４は入力端Ａを、それぞれ選択するので、映像データＶｄ１ｄ（Ｖｄ６ｄ）は、変換テーブル３２２２、加算器３２２４、３２２６の経路で補正される。
この経路において、変換テーブル３２２２では、映像データＶｄ１ｄ（Ｖｄ６ｄ）で指定された階調に対応する正極性の補正データが読み出されるとともに、当該補正データと当該映像データＶｄ１ｄ（Ｖｄ６ｄ）とが加算器３２２４によって加算される。表示モードにおいて調整データＰｘはゼロであるので、結局、補正済みの映像データＶｄ１ｆ（Ｖｄ６ｆ）は、映像データＶｄ１ｄ（Ｖｄ６ｄ）に正極性の補正データを加算したものとなる。
一方、信号ＰＬによって負極性書込が指定されると、セレクタ３２１２は出力端Ｂを、セレクタ３２１４は入力端Ｂを、それぞれ選択するので、映像データＶｄ１ｄ（Ｖｄ６ｄ）は、変換テーブル３２３２、加算器３２３４、３２３６の経路で補正される。
この経路において、変換テーブル３２３２では、映像データＶｄ１ｄ（Ｖｄ６ｄ）で指定された階調に対応する負極性の補正データが読み出されるとともに、当該補正データと当該映像データＶｄ１ｄ（Ｖｄ６ｄ）とが加算器３２２４によって加算される。表示モードにおいて調整データＭｘはゼロであるので、結局、補正済みの映像データＶｄ１ｆ（Ｖｄ６ｆ）は、映像データＶｄ１ｄに負極性の補正データを加算したものとなる。
【００５５】
本実施形態では、上述したように、正極性の補正データおよび負極性の補正データは、いずれもチャネル１（６）のデータ線で最終的に保持される電圧が、チャネル２〜５のデータ線で最終的に保持される電圧と一致するように、映像データＶｄ１ｄ（Ｖｄ６ｄ）を補正するものなので、表示領域１００ａにおいて広い面積で同一階調となるような表示とさせる場合に、各画素において最終的に書き込まれる電圧が一致することになる結果、表示領域１００ａにおける縦スジ状のムラの発生が抑えられることとなる。
【００５６】
なお、上述した実施形態では、調整モードにおいて代表的な階調値に対応する補正データを求めた後、他の階調値に対応する補正データを補間により求めて、変換テーブル３２２２（３２３２）において階調値毎に補正データを記憶させる一方、表示モードでは、映像データで指定された階調値に対応する補正データを変換テーブル３２２２（３２３２）から読み出す構成としたが、次のようにしても良い。
すなわち、調整モードにおいて代表的な階調値に対応する補正データを求めて、この補正データだけを変換テーブル３２２２（３２３２）に記憶させ、表示モードでは、映像データで指定された階調値が、変換テーブル３２２２（３２３２）に記憶したものであれば、それを読み出す一方、変換テーブル３２２２（３２３２）に記憶したものでなければ、記憶した階調値の補正データから補間して求める構成としても良い。
すなわち、補間を実施形態のように調整モードにおいて実行しても良いし、表示モードにおいて実行しても良い。
実施形態のように、補間を調整モードにおいて実行する構成では、表示モードにおいて補間に伴う演算の遅延を考慮しなくても良いが、変換テーブル３２２２（３２３２）に必要な記憶容量が多くなる。反面、補間を表示モードにおいて実行する構成では、変換テーブル３２２２（３２３２）に必要な記憶容量が少なくて済むが、表示モードにおいて補間に伴う演算の遅延を考慮する必要がある。
【００５７】
また、実施形態では、各データ線１１４には、容量が寄生するので、水平有効表示期間においてデータ信号がサンプリングされると、当該データ信号の電圧が、次のサンプリング直前まで残存する。このため、水平帰線期間において、各データ線１１４を所定の電圧にプリチャージして、残存する電圧成分をクリアにして、水平有効表示期間にデータ線１１４にデータ信号をサンプリングする条件を揃えるようにしても良い。
【００５８】
図１１は、正極性書込の前では、電圧ＬＣcomに近い電圧でデータ線をプリチャージする一方、負極性書込の前では、ゼロに近い電圧でデータ線をプリチャージする例を示している。
このようなプリチャージを実行する場合、同図に示されるように、あるブロックが選択されると、当該ブロックにおいてチャネル１に相当するデータ線は、プリチャージ電位から書込電位に変化する。
ここで、当該データ線の右隣に位置するデータ線は、当該データ線と同時に電圧が変化するので当該データ線の電圧変化の影響を受けにくいが、左隣に位置するデータ線は、すでにデータ信号のサンプリングが完了しているので、当該データ線の電圧変化の影響を受けることになる。
したがって、水平走査方向が右方向である場合には、あるブロックにおけるチャネル１のデータ線における電圧変化によって、左隣のデータ線（詳細には、当該ブロックよりも１つ手前で選択されるブロックにおけるチャネル６のデータ線）が電圧変動する。
このため、チャネル６のデータ線については、プッシュダウンのみならず、プリチャージ電圧によっても変動することになる。
【００５９】
一方、実施形態では、調整モードの第１ステップでは、共通電極１０８の電圧ＬＣcomを高位側にシフトさせ、第３ステップでは、電圧ＬＣcomを低位側にシフトさせる構成であった。第１ステップにおいて電圧ＬＣcomを高位側にシフトさせる理由は、正極性における実効的な電圧の差が表示の差として現れるようにするためであり、第３ステップにおいて電圧ＬＣcomを低位側にシフトさせる理由は、負極性における実効的な電圧の差が表示の差として現れるようにするためである。
このような正／負極性における実効的な電圧の差が表示の差として現れるようにするためには、電圧ＬＣcomを高位側／低位側にシフトさせる構成のほかにも次のような方法が挙げられる。すなわち、調整モードの第１ステップにおいて、負極性書込のときに映像データＶｉｄを、最低階調（実効的な電圧が最高となる階調）を指定するデータに置き換える。このように置き換えると、画素電極１１８に印加される電圧波形は、図１２（ａ）に示されるように、電圧ＬＣcomを高位側にシフトさせる場合と同等となるので、正極性における実効的な電圧の差が表示の差として現れる。同様に、調整モードの第３ステップにおいて、正極性書込のときに映像データＶｉｄを、最低階調を指定するデータに置き換える。このように置き換えると、画素電極１１８に印加される電圧波形は、図１２（ｂ）に示されるように、電圧ＬＣcomを低位側にシフトさせる場合と同等となるので、負極性における実効的な電圧の差が表示の差として現れる。
なお、このように置き換える場合の階調は、最低階調に限られず、その近傍の階調であって、同等の効果を奏する階調であっても良い。具体的には、最低階調の輝度が０％であれば、輝度が１０％以下に相当する階調範囲であれば良い。
【００６０】
実施形態では、垂直走査方向がＧ１→Ｇｍの下方向であり、水平走査方向がＳ１→Ｓｎの右方向であったが、後述するプロジェクタや回転可能な表示装置とする場合には、走査方向を反転させる必要がある。
また、映像データＶｉｄの供給方法を変更すれば、必ずしも、走査線の選択順序を１、２、３行目とする必要はなく、例えば１、３、５、…、（ｍ−１）、２、４、６、……、ｍというように飛び越し走査しても良い。すなわち、ある走査線を選択した後は、別の走査線の選択して、ある単位期間（垂直走査期間）において、すべての走査線を結果的に選択されていれば良い。
また、実施形態では、ある１垂直走査期間において正極性書込をし、次の１垂直走査期間において負極性書込をするので、交流駆動の周期は２垂直走査期間となるが、これ以上の周期で交流駆動をしても良いのはもちろんである。
【００６１】
上述した実施形態にあっては、６本のデータ線１１４をブロック化して、映像データＶｄ１ｄ〜Ｖｄ６ｄの６チャネルに変換する相展開駆動方式としたが、チャネル数および同時に印加するデータ線数（すなわち、１ブロックに属するデータ線数）は、「６」に限られるものではない。また、特に相展開駆動方式ではなく、例えばデータ線毎に補正回路を設けるような構成であれば、点順次方式としても良い。
【００６２】
一方、上述した実施形態において、データ信号供給回路３００は、ディジタルの映像データＶｉｄを処理するものとしたが、アナログの画像信号を処理する構成としても良い。さらに、上述した実施形態にあっては、共通電極１０８と画素電極１１８との電圧実効値が小さい場合に白色表示を行うノーマリーホワイトモードとして説明したが、黒色表示を行うノーマリーブラックモードとしても良い。
【００６３】
さらに、上述した実施形態では、液晶としてＴＮ型を用いたが、ＢＴＮ（Bi-stable Twisted Nematic）型・強誘電型などのメモリ性を有する双安定型や、高分子分散型、さらには、分子の長軸方向と短軸方向とで可視光の吸収に異方性を有する染料（ゲスト）を一定の分子配列の液晶（ホスト）に溶解して、染料分子を液晶分子と平行に配列させたＧＨ（ゲストホスト）型などの液晶を用いても良い。
また、電圧無印加時には液晶分子が両基板に対して垂直方向に配列する一方、電圧印加時には液晶分子が両基板に対して水平方向に配列する、という垂直配向（ホメオトロピック配向）の構成としても良いし、電圧無印加時には液晶分子が両基板に対して水平方向に配列する一方、電圧印加時には液晶分子が両基板に対して垂直方向に配列する、という平行（水平）配向（ホモジニアス配向）の構成としても良い。このように、本発明では、液晶や配向方式として、種々のものに適用することが可能である。
【００６４】
次に、上述した実施形態に係る電気光学装置を用いた電子機器の一例として、上述したパネル１００をライトバルブとして用いたプロジェクタについて説明する。図１３は、このプロジェクタの構成を示す平面図である。この図に示されるように、プロジェクタ２１００内部には、ハロゲンランプ等の白色光源からなるランプユニット２１０２が設けられている。このランプユニット２１０２から射出された投射光は、内部に配置された３枚のミラー２１０６および２枚のダイクロイックミラー２１０８によってＲ（赤）、Ｇ（緑）、Ｂ（青）の３原色に分離されて、各原色に対応するライトバルブ１００Ｒ、１００Ｇおよび１００Ｂにそれぞれ導かれる。なお、Ｂ色の光は、他のＲ色やＧ色と比較すると、光路が長いので、その損失を防ぐために、入射レンズ２１２２、リレーレンズ２１２３および出射レンズ２１２４からなるリレーレンズ系２１２１を介して導かれる。
【００６５】
ここで、ライトバルブ１００Ｒ、１００Ｇおよび１００Ｂの構成は、上述した実施形態におけるパネル１００と同様であり、処理回路（図１３では省略）から供給されるＲ、Ｇ、Ｂの各色に対応する画像信号でそれぞれ駆動されるものである。すなわち、このプロジェクタ２１００では、パネル１００を含む電気光学装置が、Ｒ、Ｇ、Ｂの各色に対応して３組設けられ、各色のパネルにおける表示のムラが、それぞれ目立たなくなるように補正される構成となっている。
ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色およびＢ色の光は９０度に屈折する一方、Ｇ色の光は直進する。したがって、各色の画像が合成された後、スクリーン２１２０には、投射レンズ２１１４によってカラー画像が投射されることとなる。
【００６６】
なお、ライトバルブ１００Ｒ、１００Ｇおよび１００Ｂには、ダイクロイックミラー２１０８によって、Ｒ、Ｇ、Ｂの各原色に対応する光が入射するので、上述したようにカラーフィルタを設ける必要はない。また、ライトバルブ１００Ｒ、１００Ｂの透過像は、ダイクロイックミラー２１１２により反射した後に投射されるのに対し、ライトバルブ１００Ｇの透過像はそのまま投射されるので、ライトバルブ１００Ｒ、１００Ｂによる水平走査方向は、ライトバルブ１００Ｇによる水平走査方向と逆向きにして、左右を反転させた像を表示する構成となっている。
【００６７】
電子機器としては、図１３を参照して説明した他にも、テレビジョンや、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラ、携帯電話機、タッチパネルを備えた機器等などが挙げられる。そして、これらの各種の電子機器に対して、本発明に係る表示パネルが適用可能なのは言うまでもない。
【図面の簡単な説明】
【００６８】
【図１】本発明の実施形態に係る電気光学装置の全体構成を示すブロック図である。
【図２】同電気光学装置における電気光学パネルの構成を示す図である。
【図３】同電気光学パネルの画素の構成を示す図である。
【図４】同電気光学装置における補正回路の構成を示す図である。
【図５】同補正回路における補正の内容を説明するための図である。
【図６】同電気光学装置の動作を説明するための図である。
【図７】同電気光学装置の動作を説明するための図である。
【図８】プッシュダウンを説明するための図である。
【図９】プッシュダウンの相違によるデータ線の保持電圧の変化を説明するための図である。
【図１０】第１、第３ステップにおける電圧ＬＣcomのシフトを示す図である。
【図１１】プリチャージ電位から書込電位への変動が与える影響を説明するための図である。
【図１２】電圧ＬＣcomのシフトと同等の効果を説明するための図である。
【図１３】同電気光学装置を適用した電子機器の一例たるプロジェクタの構成を示す図である。
【符号の説明】
【００６９】
１０…電気光学装置、５０…処理回路、５２…制御回路、１００…パネル、１１２…走査線、１１４…データ線、１１６…ＴＦＴ、１１８…画素電極、１３０…走査線駆動回路、１４２…シフトレジスタ、１５０…サンプリングスイッチ、１７１…画像信号線、３００…データ信号供給回路、３２１、３２６…補正回路、２１００…プロジェクタ
【図１】
2006023663.tif 000003
【図２】
2006023663.tif 000004
【図３】
2006023663.tif 000005
【図４】
2006023663.tif 000006
【図５】
2006023663.tif 000007
【図６】
2006023663.tif 000008
【図７】
2006023663.tif 000009
【図８】
2006023663.tif 000010
【図９】
2006023663.tif 000011
【図１０】
2006023663.tif 000012
【図１１】
2006023663.tif 000013
【図１２】
2006023663.tif 000014
【図１３】
2006023663.tif 000015